(57)【要約】【課題】湿式サウナ装置を提供する。【解決手段】前記湿式サウナ装置は、家庭用給湯温水及び熱交換加湿パッドにより所定温度の水蒸気排出ができるようにしたものであって、そのため別途の水蒸気発生熱源のスチーム発生器を必要とせず、従来の湿式サウナ装置の短所として指摘されていた予熱時間も短縮するとともに、電力消費量を節減できて経済的な負担を最小化することができる。また、電気工事及び配管工事の最小化によって設置が簡便であり、感電や火事の危険性も低減される。【選択図】図１
2010142632.tif 000002
【特許請求の範囲】
【請求項１】
所定温度の家庭用給湯温水が供給される温水配管が接続され、下端一側にはスチーム排出口が設けられた本体部と、
前記本体部の外気流入ホールに固定設置され、前記温水配管を介して供給される所定温度の家庭用給湯温水を吸収して前記外気流入ホールを介して流入される外気を所定温度に熱交換する加湿パッドと、
前記本体部内に設けられ、前記加湿パッドに吸収された後、熱交換が行われて排出される落水を保存する落水受け部と、
前記本体部内に設けられ、前記加湿パッドにより所定温度に熱交換する外気（水蒸気）を、前記スチーム排出口を介して本体部の外部に吐き出す送風機と、
前記送風機の送風動作を制御するマイコンと、
を含んで構成されることを特徴とする湿式サウナ装置。
【請求項２】
前記温水配管は、家庭用給湯温水に対する供給可否を決定するバルブと温水散布管が構成され、前記バルブは使用者により受動制御される開閉バルブ、または前記マイコンにより制御される電子バルブで構成されることを特徴とする請求項１に記載の湿式サウナ装置。
【請求項３】
前記加湿パッドは、炭または活性炭のような機能性材料を含んで構成されることを特徴とする請求項１に記載の湿式サウナ装置。
【請求項４】
前記落水受け部は、ドレイン配管を接続構成することを特徴とする請求項１に記載の湿式サウナ装置。
【請求項５】
前記ドレイン配管は、加湿パッドが位置する前記本体部の上側に接続されて閉ループをなすリターン配管を接続し、
前記リターン配管は、所定温度以下に下がった状態で、前記ドレイン配管にドレインされる家庭用給湯温水を前記加湿パッドに再循環することができるように、前記マイコンの制御によりポンピング動作するポンプ及び前記マイコンの制御により前記ポンプで再循環する家庭用給湯温水を水蒸気の生成できる所定温度に再加熱するヒータ部を接続構成することを特徴とする請求項４に記載の湿式サウナ装置。
【請求項６】
前記加湿パッドは、バルブの閉鎖制御時、前記マイコンが送風機を所定時間駆動制御することで乾燥されることを特徴とする請求項１に記載の湿式サウナ装置。
【発明の詳細な説明】
【技術分野】
【０００１】
本発明は、湿式サウナ装置に関し、より詳しくは、別途の水蒸気発生熱源を必要とせず、家庭用給湯温水と加湿パッドを用いて湿式サウナができる湿式サウナ装置(Hydro sauna equipment)に関する。
【背景技術】
【０００２】
一般に、サウナは水蒸気を利用するか、または高温乾燥の熱気を利用して入浴するものであって、血液循環とともに汗などのような老廃物を排出して新陳代謝を促進することで、東洋と西洋とを問わず、従来からよく利用されてきた。
【０００３】
サウナの効能は、蒸気や熱気により次第に身体機関が活性化されて心臓搏動が早くなるため血液循環がよくなる。それとともに、血管が拡張されて肌や筋肉の栄養状態もよくなる。また神経や筋肉の疲れを取ったり、緩和させたりするのみでなく、老廃物を除去することで身体の全般的なコンディションを改善できることが既に立証されている。
【０００４】
すなわち、スチームを利用するサウナの場合、４０〜５０℃程度の低い温度でも多くの汗を流すことができ、体内に蓄積した老廃物と疲労物質を体外に排出して疲れとストレスを取ることができ、汗を繰り返して排出することで皮膚美容にも効果がある。その他にも毛細管を拡張させて血流をよくさせ、成人病の予防や治療にも効果がある。
【０００５】
このようなサウナは、通常、蒸し風呂や銭湯または家庭用風呂などに主に用いられ、その種類は乾式と湿式とに区分されており、湿式サウナ装置は水を加熱してスチーム（蒸気）を発生させるものである。
【０００６】
しかし、従来の湿式サウナ装置は、水蒸気となる原水を加熱するための水蒸気発生熱源としてスチーム発生器を必ず設けなければならなく、それにより、スチーム発生器の動作に伴う予熱時間が長く、電力を多く消費するため経済的な負担が加重されるとともに、電気工事及び配管工事が必要となるなど、その設置も複雑で、感電や火事の危険性が非常に高いという短所を有する。
【先行技術文献】
【特許文献】
【０００７】
【特許文献１】大韓民国特許公報第２０−０１３５９０２号明細書
【特許文献２】大韓民国出願公開第１９９９−０００１１７０号明細書
【特許文献３】大韓民国特許公報第２０−０３１１３７２号明細書
【特許文献４】大韓民国特許公報第２０−０４３１６４２号明細書
【発明の概要】
【発明が解決しようとする課題】
【０００８】
そこで、本発明は、上記のような従来の問題点を解決するために案出されたことであり、家庭用給湯温水と加湿パッドを介して所定温度の水蒸気の排出ができるようにする湿式サウナ装置を提供することにその目的がある。
【課題を解決するための手段】
【０００９】
上記の目的を達成するための本発明湿式サウナ装置は、所定温度の家庭用給湯温水が供給される温水配管が接続されていて、下端一側にはスチーム排出口が形成される本体部と、前記本体部の外気流入ホールに固定設置され、前記温水配管を介して供給される所定温度の家庭用給湯温水を吸収して前記外気流入ホールを介して流入される外気を所定温度に熱交換する加湿パッドと、前記本体部内に形成され、前記加湿パッドに吸収された後に熱交換を行って排出される落水を保存する落水受け部と、前記本体部内に設けられ、前記加湿パッドにより所定温度に熱交換する外気（水蒸気）を、前記スチーム排出口を介して本体部の外部に吐き出す送風機と、前記送風機の送風動作を制御するマイコンとを含む。
【００１０】
また、前記温水配管には、家庭用給湯温水に対する供給可否を決定するバルブと温水散布管が接続構成されていて、前記バルブは使用者により受動で制御する開閉バルブ、または前記マイコンにより制御する電子バルブによって構成される。
【００１１】
また、前記加湿パッドは、炭または活性炭のような機能性材料を含む。
【００１２】
また、前記落水受け部は、ドレイン配管が接続構成されている。
【００１３】
また、前記ドレイン配管は、その一端に加湿パッドが位置する前記本体部の上側に接続され、閉ループをなすリターン配管に接続されており、前記リターン配管には、所定温度以下に下がった状態で前記ドレイン配管にドレインされる家庭用給湯温水を前記加湿パッドに再循環するように、前記マイコンの制御に従ってポンピング動作するポンプ及び前記マイコンの制御に従って前記ポンプにより再循環する家庭用給湯温水を水蒸気発生のための所定温度に再加熱するヒータ部と接続構成されている。
【００１４】
また、前記加湿パッドは、バルブの閉鎖制御時、前記マイコンが送風機を所定時間の間に駆動制御することによって乾燥することができる。
【発明の効果】
【００１５】
このような本発明の湿式サウナ装置は、家庭用給湯温水と熱交換加湿パッドを介して所定温度の水蒸気の排出ができるようにしたものであって、これにより、別途の水蒸気発生熱源であるスチーム発生器を必要とせず、従来の湿式サウナ装置の短所として指摘されていた予熱時間を短縮することができるとともに、電力消費量を低減して経済的な負担を最小化し、同時に、電気工事及び配管工事の最小化して設置が簡便であり、かつ感電や火事の危険性も低減することができる。
【図面の簡単な説明】
【００１６】
【図１】本発明の実施形態に係る湿式サウナ装置の構造を示す断面図である。
【図２】本発明の実施形態に係る湿式サウナ装置の構造を示す正面図である。
【発明を実施するための形態】
【００１７】
以下、添付図面を参照しながら本発明の実施形態について説明する。
【００１８】
図１は、本発明の実施形態に係る湿式サウナ装置の構造を示す断面図であり、図２は、本発明の実施形態に係る湿式サウナ装置の構造を示す正面図である。
【００１９】
図１及び図２に示すように、本発明の実施形態に係る湿式サウナ装置は、本体部１０、加湿パッド２０、落水受け部３０、送風機４０、そして、マイコン５０を含み、さらにポンプ６０とヒータ部７０とを含む。
【００２０】
前記本体部１０には、ボイラのような暖房装置によって給湯された約６０〜９０℃の家庭用給湯温水が供給できるようにする温水配管Ｌ１が上端に接続され、下端一側にはスチーム排出口Ｄ１が形成される。
【００２１】
このとき、前記温水配管Ｌ１には、家庭用給湯温水の供給可否を決定するためのバルブＶ及び温水散布管８０が設けられ、前記バルブＶは使用者により開閉が行われる開閉バルブまたは前記マイコン５０により開閉が制御される電子バルブのうちいずれか１つを選択的に適用することができる。
【００２２】
前記加湿パッド２０は、前記６０〜９０℃に加熱して供給される家庭用給湯温水を吸収して前記本体部１０の外気流入ホール（図示せず）を介して流入された外気を３５〜５０℃の温度に熱交換させ、前記本体部１０の外気流入ホール（図示せず）に固定設置されるものであって、前記外気を熱交換させた後の家庭用給湯温水の落水は前記落水受け部３０に自然落下されて保存される。
【００２３】
このとき、前記加湿パッド２０による家庭用給湯温水の熱交換は、加湿パッド２０に吸収されたた６０〜９０℃の給湯温水が前記加湿パッド２０に吸収される間に熱が大気と接触して自然に温度が下がることを意味する。
【００２４】
ここで、前記加湿パッド２０は、前記本体部１０のスチーム排出口Ｄ１を介して水蒸気排出が行われる際に人体に有益な炭または活性炭のような機能性材料が添加される。前記添加方式としては、パウダー粉末形態として添加するか、または前記加湿パッド２０の製造段階で添加することができる。
【００２５】
前記落水受け部３０は、前記本体部１０内の前記加湿パッド２０の下側に形成され、前記加湿パッド２０において３５〜５０℃に外気を熱交換させた所定量の落水が保存されるように構成されている。
【００２６】
ここで、前記落水受け部３０はドレイン配管Ｌ２の一端に接続され、前記落水受け部３０に落水された温水を外部に排出することができる。
【００２７】
前記送風機４０は、前記本体部１０内の下端に設けられたクロスフローファンであって、前記加湿パッド２０において熱交換した外気（水蒸気）を、前記スチーム排出口Ｄ１を介して本体部１０の外部に吐き出すように送風動作を行うもので、前記の送風動作は前記マイコン５０の制御によって行われる。
【００２８】
ここで、前記マイコン５０は、湿式サウナ装置を使用中止させるためにバルブＶを閉鎖する際、前記送風機４０を所定時間（例えば３〜４分）駆動制御することで、前記加湿パッド２０の乾燥ができる制御プログラムを備える。
【００２９】
前記ポンプ６０及びヒータ部７０は、前記ドレイン配管Ｌ２に接続するリターン配管Ｌ３に形成されたものであって、前記リターン配管Ｌ３は前記加湿パッド２０が位置する前記本体部１０の上側に接続されて閉ループをなし、前記ドレイン配管Ｌ２を介してドレインする３５〜５０℃以下の落水を前記加湿パッド２０にリターンさせるように構成される。
【００３０】
前記ポンプ６０は、前記マイコン５０により制御されて前記ドレイン配管Ｌ２を介して３５〜５０℃以下温度に下がった給湯温水を、前記リターン配管Ｌ３を介して加湿パッド２０に再循環するようにポンピング動作を行うものであって、前記ヒータ部７０は前記マイコン５０により制御されて前記ポンプ６０でポンピングする３５〜５０℃の給湯温水を水蒸気が生成できる６０〜９０℃の温度に再加熱するように構成されている。
【００３１】
すなわち、本発明の実施形態に係る湿式サウナ装置は、添付の図１及び図２に示すように、通常の暖房装置であるボイラの稼動時に生成する６０〜９０℃の家庭用給湯温水を熱源とした状態で、前記家庭用給湯温水を加湿パッド２０に吸収させて本体部１０内に流入する外気を３０〜５０℃に熱交換させ、前記熱交換が行われた外気（水蒸気）を送風機４０の送風動作によって前記本体部１０から外部に吐き出すことによって、サウナ用の水蒸気が生成するようにしたものである。
【００３２】
この場合、本発明では、前記送風機４０の送風動作によって吐出しが行われる外気（水蒸気）の他に、前記落水受け部３０に落ちる給湯温水はその温度が３５〜５０℃以下に下がって、ドレインラインＬ１を介してドレインされる際に、これをヒータ部７０が再加熱してリターン配管Ｌ３とポンプ６０を介して前記加湿パッド２０に再循環させることによって、従来の湿式サウナ装置よりも電力消費量を低減し、水蒸気発生効率はさらに極大化することができる。
【００３３】
以上、本発明の好ましい実施形態を説明したが、本発明は上記の実施形態に限定されることはない。本発明の趣旨を逸脱しない範囲で、構成の付加、省略、置換、およびその他の変更が可能である。本発明は前述した説明によって限定されることはなく、特許請求の範囲に記載された事項によってのみ限定される。
【符号の説明】
【００３４】
１０  本体部                    ２０  加湿パッド
３０  落水受け部                ４０  送風機
５０  マイコン                  ６０  ポンプ
７０  ヒータ部                  ８０  温水散布管
Ｌ１  温水配管                  Ｌ２  ドレイン配管
Ｌ３  リターン配管              Ｄ１  スチーム排出口
Ｖ  バルブ
【図１】
2010142632.tif 000003
【図２】
2010142632.tif 000004